(57)【要約】【課題】２つの筐体の開閉状態に拘わらずスピーカから発せられる音を十分な音質と音量に保つことが出来、然も、筐体の大型化を回避することが出来る携帯型電子機器を提供する。【解決手段】本発明に係る携帯型電子機器において、第１筐体１０の表面にはスピーカ４０と対向する位置に第１放音孔１５が開設されると共に、第１筐体１０の裏面にはスピーカ４０と対向する位置に第２放音孔１６が開設されている。両筐体１０、２０はヒンジ機構３０によって回転可能に連結され、蓋ヒンジ機構３０を構成する第２筐体２０の駒部材２３には、第２筐体２０の開閉動作に伴って第２放音孔１６を開閉する帯部材４３が取り付けられている。該帯部材４３の先端部は、両筐体１０、２０が閉じ状態のときには第２駒部２３に巻き取られて第２放音孔１６を開放し、両筐体１０、２０が開き状態のときに展開して第２放音孔１６を塞ぐ。【選択図】      図７
2004289563.tif 000002
【特許請求の範囲】
【請求項１】
スピーカ（４０）が内蔵された第１筐体（１０）に連結機構を介して第２筐体（２０）が開閉可能に連結され、第１筐体（１０）の表面は、両筐体（１０）（２０）を閉じ状態としたときに第２筐体（２０）に覆われる一方、両筐体（１０）（２０）を開き状態としたときに露出することとなる携帯型電子機器において、
前記第１筐体（１０）の表面にはスピーカ（４０）と対向する位置に第１放音孔（１５）が開設されると共に、第１筐体（１０）の裏面にはスピーカ（４０）と対向する位置に第２放音孔（１６）が開設され、前記連結機構には、第２筐体（２０）の開閉動作に伴って第２放音孔（１６）を開閉するシャッターが取り付けられており、該シャッターは、両筐体（１０）（２０）が閉じ状態のときに第２放音孔（１６）を開放すると共に、両筐体（１０）（２０）が開き状態のときに第２放音孔（１６）を塞ぐことを特徴とする携帯型電子機器。
【請求項２】
前記連結機構はヒンジ機構（３０）であり、該ヒンジ機構（３０）は、第１筐体（１０）の上端部に形成された第１駒部（１８）と、第２筐体の下端部に形成された第２駒部（２３）とを、同軸上にて相対回転可能に連結して構成され、前記シャッターは、基端部が前記第２駒部（２３）に連結された帯部材（４３）により形成されており、該帯部材（４３）の先端部は、両筐体（１０）（２０）が閉じ状態ときに前記第２駒部（２３）の回転により巻き取られて前記第２放音孔（１６）を開放する一方、両筐体（１０）（２０）が開き状態のときに前記第２駒部（２３）の回転により展開して前記第２放音孔（１６）を塞ぐ請求項１に記載の携帯型電子機器。
【請求項３】
前記スピーカ（４０）は、スピーカホルダ（４２）によって保持されており、該スピーカホルダ（４２）には、前記帯部材（４３）の先端部の巻き取り及び展開を案内するガイド（４５）が形成されている請求項２に記載の携帯型電子機器。
【発明の詳細な説明】
【０００１】
【発明の属する技術分野】
本発明は、携帯電話機の如く、スピーカを具えた携帯型電子機器に関するものである。
【０００２】
【従来の技術】
従来、スピーカを具えた携帯電話機として、例えば図８に示す折り畳み式携帯電話機が提案されている（特許文献１参照）。該折り畳み式携帯電話機は、第１筐体（９１）と第２筐体（９２）をヒンジ機構（９３）を介して互いに開閉可能に連結して構成されている。
第１筐体（９１）の表面には、複数の操作キー（９４）が配列されると共に、送話部（図示省略）が設けられている。
又、第２筐体（９２）の表面には、ディスプレイ（９５）が配備され、ディスプレイ（９５）の上方には、受話孔（９６）が開設されており、第２筐体（９２）の内部には、受話孔（９６）と対向する位置に受話用のレシーバ（８１）が配備されている。該レシーバ（８１）の裏面には、着信音などを放音するスピーカ（８２）が第２筐体（９２）の裏面と対向して取り付けられており、第２筐体（９２）の裏面には、スピーカ（８２）と対向する位置に放音孔（９７）が開設されている。
【０００３】
図８に示す折り畳み式携帯電話機においては、レシーバ（８１）とスピーカ（８２）とを一体化して第２筐体（９２）に収容することが出来るので、製造コストを節減することが出来ると共に、製造工程を簡略化することが出来る。
【０００４】
【特許文献１】
特開２００２−５８０９４号公報（
【００３９】、
【図６】）
【０００５】
【発明が解決しようとする課題】
しかしながら、図８に示す折り畳み式携帯電話機においては、ディスプレイ（９５）を露出させた開き状態に設定してディスプレイ（９５）をユーザと対向させた場合、スピーカ（８２）がユーザと反対の方向を向くこととなり、スピーカからの音はユーザと反対の方向に発せられる問題があった。
かかる問題を解決する方法として、スピーカの放音面を第２筐体の表面に配置することが考えられるが、この様な構造を具えた折り畳み式携帯電話機においては、閉じ状態にて放音面が他方の筐体に覆われることになるため、ユーザは、閉じ状態のときにスピーカから発せられる音を十分な音質と音量で楽しむことが出来ない問題があった。
【０００６】
上記問題を解決することが可能な携帯電話機として、図９（ａ）（ｂ）に示す折り畳み式携帯電話機が提案されている。該折り畳み式携帯電話機において、スピーカ（８３）は、第１筐体（９１）に内蔵されており、第１筐体（９１）の表面には、スピーカ（８３）と対向する位置に放音孔（９８）が開設されている。又、第２筐体（９２）には、閉じ状態のときに放音孔（９８）と対向する位置に貫通孔（９９）が開設されている。
【０００７】
上記折り畳み式携帯電話機においては、図９（ｂ）に示す如く、第１筐体（９１）に対して第２筐体（９２）を開いた開き状態に設定した場合、スピーカ（８３）からの音は、第１筐体（９１）の表面に開設された放音孔（９８）より放出されることとなるので、ユーザは、スピーカ（８３）から発せられる音を高音質且つ大音量で楽しむことが出来る。又、図９（ａ）に示す如く、第１筐体（９１）に対して第２筐体（９２）を閉じた閉じ状態に設定した場合、スピーカ（８３）からの音は、放音孔（９８）と対向している第２筐体（９２）の貫通孔（９９）から放出されることとなるので、ユーザは、閉じ状態でもスピーカ（８３）から発せられる音を十分な音質と音量で楽しむことが出来る。
【０００８】
しかしながら、図９（ａ）（ｂ）に示す折り畳み式携帯電話機においては、第２筐体（９５）に大きな貫通孔（９９）を開設する必要があるため、第２筐体（９２）が大型化し、ひいては電話機全体が大型化する問題があった。
【０００９】
そこで本発明の目的は、２つの筐体の開閉状態に拘わらずスピーカから発せられる音を十分な音質と音量に保つことが出来、然も、筐体の大型化を回避することが出来る携帯型電子機器を提供することである。
【００１０】
【課題を解決する為の手段】
本発明に係る携帯型電子機器においては、スピーカ（４０）が内蔵された第１筐体（１０）に連結機構を介して第２筐体（２０）が開閉可能に連結され、第１筐体（１０）の表面は、両筐体（１０）（２０）を閉じ状態としたときに第２筐体（２０）に覆われる一方、両筐体（１０）（２０）を開き状態としたときに露出することとなる。
前記第１筐体（１０）の表面にはスピーカ（４０）と対向する位置に第１放音孔（１５）が開設されると共に、第１筐体（１０）の裏面にはスピーカ（４０）と対向する位置に第２放音孔（１６）が開設され、前記連結機構には、第２筐体（２０）の開閉動作に伴って第２放音孔（１６）を開閉するシャッターが取り付けられており、該シャッターは、両筐体（１０）（２０）が閉じ状態のときに第２放音孔（１６）を開放すると共に、両筐体（１０）（２０）が開き状態のときに第２放音孔（１６）を塞ぐ。
【００１１】
上記本発明に係る携帯型電子機器においては、両筐体（１０）（２０）を開き状態に設定した場合、第１筐体（１０）の表面の第１放音孔（１５）が開放されると共に、第２筐体（２０）の開き動作に連動してシャッターが動作する。該シャッターによって第１筐体（１０）の裏面の第２放音孔（１６）は塞がれることとなり、これによって、スピーカ（４０）から発せられる音は、第１放音孔（１５）のみから放出される。この結果、スピーカ（４０）から発せられる音を十分な音質と音量で楽しむことが出来る。
【００１２】
一方、両筐体（１０）（２０）を閉じ状態に設定した場合、第１筐体（１０）の表面の第１放音孔（１５）は第２筐体（２０）によって塞がれると共に、第２筐体（２０）の閉じ動作に連動してシャッターが動作する。第１筐体（１０）の裏面の第２放音孔（１６）はシャッターによる閉塞から開放されることとなり、これによって、スピーカ（４０）から発せられる音は、第２放音孔（１６）のみから放出される。この結果、開き状態と同程度の音質と音量が保たれる。
又、この状態においては、スピーカ（４０）から発せられる音は第１筐体（１０）の裏面から放出されるので、第２筐体（２０）に音を通過させるための貫通孔などを形成する必要はない。従って、第２筐体（２０）が大型化することはない。
【００１３】
又、具体的構成において、前記連結機構はヒンジ機構（３０）であり、該ヒンジ機構（３０）は、第１筐体（１０）の上端部に形成された第１駒部（１８）と、第２筐体の下端部に形成された第２駒部（２３）とを、同軸上にて相対回転可能に連結して構成される。前記シャッターは、基端部が前記第２駒部（２３）に連結された帯部材（４３）により形成されており、該帯部材（４３）の先端部は、両筐体（１０）（２０）が閉じ状態ときに前記第２駒部（２３）の回転により巻き取られて前記第２放音孔（１６）を開放する一方、両筐体（１０）（２０）が開き状態のときに前記第２駒部（２３）の回転により展開して前記第２放音孔（１６）を塞ぐ。
【００１４】
該具体的構成においては、両筐体（１０）（２０）を開き状態に設定した場合、第１筐体（１０）の表面の第１放音孔（１５）が開放されると共に、帯部材（４３）が第２筐体（２０）の開き動作に連動して第２駒部（２３）から展開し、第１筐体（１０）の裏面の第２放音孔（１６）は、帯部材（４３）の先端部によって塞がれる。これによって、スピーカ（４０）から発せられる音は、第１放音孔（１５）のみから放出される。この結果、スピーカ（４０）から発せられる音を十分な音質と音量で楽しむことが出来る。
【００１５】
又、両筐体（１０）（２０）を閉じ状態に設定した場合、第１筐体（１０）の表面の第１放音孔（１５）は第２筐体（２０）によって塞がれると共に、帯部材（４３）は第２筐体（２０）の閉じ動作に連動して第２駒部（２３）に巻き取られ、第１筐体（１０）の裏面の第２放音孔（１６）は、帯部材（４３）の先端部による閉塞から開放される。これによって、スピーカ（４０）から発せられる音は、第２放音孔（１６）のみから放出される。この結果、開き状態と同程度の音質と音量が保たれる。
【００１６】
更に具体的な構成において、前記スピーカ（４０）は、スピーカホルダ（４２）によって保持されており、該スピーカホルダ（４２）には、前記帯部材（４３）の先端部の巻き取り及び展開を案内するガイド（４５）が形成されている。
該具体的構成において、帯部材（４３）はスピーカホルダ（４２）のガイド（４５）によって巻き取り及び展開を案内されるので、帯部材（４３）の巻き取り及び展開方向がずれることはない。
【００１７】
【発明の効果】
上記本発明に係る携帯型電子機器によれば、２つの筐体の開閉状態に拘わらずスピーカから発せられる音を十分な音質と音量に保つことが出来、然も、筐体の大型化を回避することが出来る。
【００１８】
【発明の実施の形態】
以下、本発明を折り畳み式携帯電話機に実施した形態につき、図面に沿って具体的に説明する。
本発明に係る折り畳み式携帯電話機は、図１に示す如く、第１筐体（１０）と第２筐体（２０）をヒンジ機構（３０）を介して回転可能に連結して構成されている。
【００１９】
第１筐体（１０）は、前面半体（１３）と背面半体（１４）を接合して構成され、前面半体（１３）の表面には、複数の操作キー（１１）が配列されると共に、該複数の操作キーの下方には、送話部（１２）が配備されている。又、複数の操作キー（１１）の上方には、後述のスピーカ（４０）のための第１放音孔（１５）が開設されている。
一方、第２筐体（２０）の表面には、ディスプレイ（２１）が配備され、該ディスプレイ（２１）の上方には受話部（２２）が配備されている。
【００２０】
又、ヒンジ機構（３０）は、第１筐体（１０）の上端部に形成された第１駒部（１８）と、第２筐体（２０）の下端部に形成された第２駒部（２３）とを、同軸上にて相対回転可能に連結して構成されており、これによって、第２筐体（２０）は、図１の如く両筐体（１０）（２０）の表面が露出する開き状態と、図２の如く両筐体（１０）（２０）の表面が互いに対向した閉じ状態との間で、第１筐体（１０）に対して相対回転することが出来る。
【００２１】
図３に示す如く、第１筐体（１０）の内部には、スピーカ（４０）がスピーカホルダ（４２）に保持されて収容されている。該スピーカ（４０）は、前方へ音を放出すると同時に後方へも音を放出する構造を有するものである。スピーカホルダ（４２）は、図５及び図６に示す如く、直径の異なる２種類の円筒状部材の底面どうしを接合した形状を有しており、中央部にはスピーカ（４０）を保持するためのスピーカ保持部（４６）が形成されている。又、スピーカ保持部（４６）の上面及び下面には貫通孔が開設されており、これによって、スピーカ（４０）は、上面と下面に向けて音を放出することが出来る。
【００２２】
図１及び図６に示す如く、第１筐体（１０）の表面には、スピーカホルダ（４２）に保持されて第１筐体（１０）内に収容されたスピーカ（４０）と対向する位置に、第１放音孔（１５）が開設されると共に、第１筐体（１０）の裏面には、図４及び図６に示す如くスピーカ（４０）と対向する位置に、第２放音孔（１６）が開設されている。
【００２３】
又、図３及び図７に示す如く、第２筐体（２０）の第２駒部（２３）には、先端部が前記ヒンジ機構（３０）の回転軸に垂直な方向に伸びる扁平な帯部材（４３）が取り付けられている。該帯部材（４３）は、第１筐体（１０）の背面半体（１４）の底面上に配備され、上面及び側面をスピーカホルダ（４２）のガイド（４５）及びシャッターガイド（４４）によって覆われている。これによって、帯部材（４３）は、第２筐体（２０）の回転運動に伴って第１筐体（１０）の背面半体（１４）の底面上をずれることなく摺動することが出来る。これによって、帯部材（４３）の先端部は、図６に示す如く、両筐体（１０）（２０）が閉じ状態に設定された場合には、第２駒部（２３）に巻き取られて第２放音孔（１６）を開放する一方、図７の如く両筐体（１０）（２０）が開き状態に設定された場合には、第２駒部（２３）から展開して第２放音孔（１６）を塞ぐこととなる。
【００２４】
上記本発明の折り畳み式携帯電話機を図１の如く両筐体（１０）（２０）を開き状態に設定した場合、図７の如く第１筐体（１０）の表面の第１放音孔（１５）が開放されると共に、帯部材（４３）が第２筐体（２０）の開き動作に連動して第２駒部（２３）から展開し、第１筐体（１０）の裏面の第２放音孔（１６）は、帯部材（４３）の先端部によって塞がれる。これによって、スピーカ（４０）から発せられる音は、第１放音孔（１５）から放出される。この結果、スピーカ（４０）から発せられる音を十分な音質と音量で楽しむことが出来る。
【００２５】
又、図２の如く両筐体（１０）（２０）を閉じ状態に設定した場合、図６の如く第１筐体（１０）の表面の第１放音孔（１５）は第２筐体（２０）によって塞がれると共に、帯部材（４３）は第２筐体（２０）の閉じ動作に連動して第２駒部（２３）に巻き取られ、第１筐体（１０）の裏面の第２放音孔（１６）は、帯部材（４３）の先端部による閉塞から開放される。これによって、スピーカ（４０）から発せられる音は、第２放音孔（１６）から放出される。この結果、開き状態と同程度の音質と音量が保たれる。
【００２６】
上記本発明に係る折り畳み式携帯電話機によれば、スピーカ（４０）から発せられる音は、両筐体（１０）（２０）の開閉状態に応じて何れか一方の放音孔から発せられることとなるので、両筐体（１０）（２０）の開閉状態に拘わらず、十分な音質と音量に保たれることとなる。又、両筐体（１０）（２０）を閉じ状態に設定した場合に、スピーカ（４０）から発せられる音は第１筐体（１０）の裏面から放出されるので、第２筐体（２０）に音を通過させるための貫通孔などを形成する必要はない。従って、第２筐体（２０）が大型化することはない。
【００２７】
尚、本発明の各部構成は上記実施の形態に限らず、特許請求の範囲に記載の技術的範囲内で種々の変形が可能である。例えば、２つの筐体を互いに重ね合わせてスライド可能に係合させたスライド式携帯電話機に本発明の構造を採用しても、上記実施例と同様の効果が得られる。又、第２筐体（２０）の回転動作と共に第２放音孔（１６）を開閉するブラインド機構をヒンジ機構（３０）に連動させた構成においても、上記実施例と同様の効果が得られる。
又、スピーカホルダの他の構造として、スピーカホルダに、スピーカ（４０）によって塞がれることのない貫通孔を更に開設する構造も採用可能である。該スピーカホルダを具えた携帯電話機においては、例えば両筐体（１０）（２０）が開き状態に設定されているとき、スピーカ（４０）から発せられた音の一部は第２放音孔（１６）と帯部材（４３）によって形成された空間で共鳴し、この音が前記貫通孔を通過して第１放音孔（１５）より放出される。従って、上記実施例と同様の効果が得られると共に、スピーカ（４０）の出力が小さい場合にも大音量を発生させることが出来、従来と同程度の音量を必要とする場合にも、スピーカ（４０）を従来よりも小型化することが出来る。
【図面の簡単な説明】
【図１】本発明に係る折り畳み式携帯電話機の開き状態を示す斜視図である。
【図２】該折り畳み式携帯電話機の閉じ状態を示す斜視図である。
【図３】該折り畳み式携帯電話機の第１筐体に収容されたスピーカを示す斜視図である。
【図４】第１筐体の背面図である。
【図５】スピーカホルダの斜視図である。
【図６】該折り畳み式携帯電話機が閉じ状態にあるときの要部を示す断面図である。
【図７】該折り畳み式携帯電話機が開き状態にあるときの要部を示す断面図である。
【図８】従来の折り畳み式携帯電話機を示す断面図である。
【図９】従来の他の折り畳み式携帯電話機を示す断面図である。
【符号の説明】
（１０）  第１筐体
（１３）  前面半体
（１４）  背面半体
（１５）  第１放音孔
（１６）  第２放音孔
（１８）  第１駒部
（２０）  第２筐体
（２１）  ディスプレイ
（２３）  第２駒部
（３０）  ヒンジ機構
（４０）  スピーカ
（４２）  スピーカホルダ
（４３）  帯部材
【図１】
2004289563.tif 000003
【図２】
2004289563.tif 000004
【図３】
2004289563.tif 000005
【図４】
2004289563.tif 000006
【図５】
2004289563.tif 000007
【図６】
2004289563.tif 000008
【図７】
2004289563.tif 000009
【図８】
2004289563.tif 000010
【図９】
2004289563.tif 000011